(57)【要約】【課題】簡単な準備操作を行っておくことによりクレーンによる吊り上げ操作のみで底板を開放できる底開き式コンテナを実現する。【解決手段】吊り上げプレート３１と開閉アーム４３との中間に縦リンク３２と横リンク３５および作用リンク４５を配置し、さらに開閉アーム４３の外側に操作カム４１を設け、これを起こしたり倒したりすることで吊り上げ力により開閉アーム４３を開いたり、閉状態に固定されたり自由に切り替えでき、外部からもその状態が確認できる。【選択図】        図４
2004168321.tif 000002
【特許請求の範囲】
【請求項１】
側板（１４）と一対の底板（１１）により構成され、この側板（１４）の底部付近に取り付けられた底板（１１）の蝶番（１２）と、底板（１１）の先端付近に設けられた係止ピン（１３）と、前記側板（１４）に固定した固定ピン（４６ｃ  ）に中央付近で軸支され、かみあい部（４３３）を介して互いに連動し、下端のフック部（４３１  ）で前記係止ピン（１３）を係止可能な一対の開閉アーム（４３）を有する底開き式コンテナにおいて、
前記側板（１４）  上部に固定された固定ピン（４６ａ  ）回りに回動自在に軸支され、外端にこの底開き式コンテナを吊り上げるワイロープ（Ｗ）を接続するための吊り孔（３１１  ）を有する吊り上げプレート（３１）と、
一端がこの吊り上げプレート（３１）に連結され、他端が前記側板（１４）下部に固定した固定ピン（４６ｂ  ）に揺動自在に軸支された揺動リンク（３３）に連結された縦リンク（３２）と、
一端がこの揺動リンク（３３  ）に連結される横リンク（３５）と、
前記側板（１４）下部に固定された中抜き板（４４）内に挿入され、一端が前記横リンク（３５）に連結され、戻しばね（４９ｃ  ）で一方向に付勢された作用リンク（４５）と、
前記係止ピン（１３）の外側の開閉アーム（４３）の背面側に回転中心を有し、底板（１１）が閉じているとき、起きた姿勢で前記開閉アーム（４３）の背面を拘束して前記開閉アーム（４３）を閉じた状態に保持し、倒れた姿勢で前記開閉アーム（４３）を開放する操作カム（４１）と、
前記作用リンク（４５）の先端部（４５２  ）あるいはこの先端部（４５２  ）に取り付けられた延長部（４５３  ）が前記中抜き板（４４）の段付き部（４４２  ）あるいは前記の起きた姿勢における操作カム（４１）の上端部（４１３  ）に載置された状態において前記開閉アーム（４３）の一方の上端部を拘束して前記開閉アーム（４３）を閉じた状態に保持し、
前記作用リンク（４５）の先端部（４５２  ）あるいはこの先端部（４５２  ）に取り付けられた延長部（４５３  ）が前記中抜き板（４４）の段付き部（４４２  ）あるいは前記の起きた姿勢における操作カム（４１）の上端部（４１３  ）から落下した状態において前記開閉アーム（４３）の一方の上端部をを開放し、
前記吊り上げプレート（３１）の動きに連動してこの作用リンク（４５）が水平方向に移動して前記の載置された状態から落下した状態に移行して吊り上げ力により前記開閉アーム（４３）を開き方向に押圧するように構成されていること
を特徴とする開閉制御機構（４）を備えた底開き式コンテナ。
【請求項２】
開閉制御機構（４）が底板（１１）の蝶番（１２）からみて両側に備えられ、それぞれの操作カム（４１）が連通シャフト（４１１  ）で連結されている請求項１に記載の底開き式コンテナ。
【発明の詳細な説明】
【０００１】
【発明の属する技術分野】
本発明は、土砂、スクラップ等のばら物を収納し運搬するコンテナに関し、さらに詳しくは、簡単な準備操作をしておくことにより、クレーンの巻き上げ、巻き下げ動作のみで任意に底板を開閉して内容物を排出することのできる底開き式コンテナに関する。
【０００２】
【従来の技術】
岸壁に設置されるアンローダ等の門形クレーンでは、石炭や土砂等のばら物を船倉からつかみ取って陸揚げするグラブバケットが使用されている。このグラブバケットの昇降と開閉はクレーンの運転室から遠隔操作で行うが、これができるのはワイヤロープを介してクレーンに取り付けられているグラブバケットに限ってのことであり、バケットそのものを他の場所へ移送することはできない。また、鋼材やスクラップ等であればリフティング・マグネットによって吊り上げ、吊り下ろし等ができるが、積み重ねられている場合、表面に近いものしか吸引できないという欠点がある。したがってもっとも能率的でかつ一般的な荷役手段はコンテナ（バッグ）によるものであるが、コンテナの場合は、積み込み、排出に時間がかかり、能率的でない。また、底板を開閉して内容物を排出するタイプのコンテナの場合、底板の開閉操作を行う作業者がクレーンの運転手から見えなかったり、落下する排出物によって作業者が怪我をするなどという安全上の問題もあった。そこで、コンテナを巻き下げ、着床後に再び巻き上げようとすると底板が自動的に開くように事前に準備操作をしておき、内容物の排出の際に作業者が付近にいなくてもよいようにしたコンテナがいくつか提案されている。
【０００３】
そのようなコンテナの一例を図１４に示す。１は鋼板製のコンテナ、１１は開閉式に構成されたその底板、１２は底板１１の開閉用の蝶番、１３は底板１１の開閉する先端付近に設けられ、追って説明する開閉制御機構によって底板１１が開くことを規制する係止ピン、１４は同じくコンテナ１の側板、３はこのコンナナ１をクレーンで吊り上げる場合に使用する底板１１付近に設けられた吊り上げ部、１８はこのコンテナ１をフォークリフト等で荷役する場合のフォーク用孔である。この図ではコンテナ１の屋根の部分は開口のままであるが、シート等でふさぐ場合もある。
【０００４】
図１５はこのコンテナ１を吊り上げ枠２を使用して吊り上げ、底板１１を開放した状態を示す斜視図で、２１は吊り上げ枠２とコンテナ１の吊り上げ部３との間に使用する補助ワイヤロープ、４３１  は係止ピン１３をコンテナ１の本体側に係止するフック部である。
この種のコンテナは、通常時はこのフック部４３１  がロックされていて底板１１が開くことはないが、内容物を排出する際には、予めロックを解除する準備操作を行った上で吊り上げ、着地させることによりフック部４３１  が外れて底板１１が開く構造となっている。図１４、１５では示されていないが、このための開閉制御機構がフック部４３１  付近、すなわち底板１１付近に設けられている。
【０００５】
開閉制御機構の一従来例として、特許第３３２１１４号公報に記載の底開き式コンテナの一実施例を図面により説明する。このコンテナは底開き式で、さきに図１５で例示した底部の周囲４点を吊るタイプのものである。
図１６はこの従来例の底開き式コンテナの開閉制御機構４を示す正面図である。これまでの説明と共通するものについては同一符号を使用している他、３１はコンテナ１の底部４隅に突出する吊り上げプレート、３２はその外端に設けられた吊り孔、３４は吊り上げプレート３１と底板１１を拘束する開閉アーム４３の上端とを連結する中間リンク、４２は側板１４の底部に縦向きに取り付けられた回転ロッド、４３２  は開閉アーム４３の側面上下２か所に設けられ、開閉アーム４３の開閉それぞれの位置で昇降ブロック４２２  を係止する押圧部、４２３  はばね受けスリーブ、４９ｂ  は昇降ブロック４２２  の自重を助けてこれを押し下げる押し下げばねである。
【０００６】
この開閉制御機構４は、操作レバー４２１  を回すことによりこれと一体の回転ロッド４２を回転させ、これに昇降可能に挿通され、回転ロッド４２に係合し連動して昇降する昇降ブロック４２２  の上下位置で底板１１の先端を係止する開閉アーム４３の開閉を制御するとともに、その開閉動作をこれに中間リンク３４を介して接続された吊り上げプレート３１によって行うようにしたものである。
【０００７】
つづいてこのコンテナ１の使用方法を説明する。この開閉制御機構４は左右対称に構成されているので、以下片側のみを図示して説明する。なお開閉制御を安全、確実なものとするため、図１５における向こう側にも同じ開閉制御機構４を設けることが望ましいから、１基のコンテナ１に対して図１７に相当する機構が４組設けられることになる。
【０００８】
さて図１７は図１６と同じ底板１１の閉じた基本状態を示すもので、図１６の左半分に相当する。操作レバー４２１  は回転ロッド４２に対して左側に向いている。追って説明する回転ロッド４２の溝部と昇降ブロック４２２  の係合によりこの状態では昇降ブロック４２２  は上昇位置にある。開閉アーム４３は開きばね４９ａ  により開く方向に付勢されているが、開閉アーム４３の側面上下２か所に設けられた押圧部のうち上のもの４３２ａが昇降ブロック４２２  を押圧しているので開くことができない。したがってこの状態のままこのコンテナ１を吊り上げても着地させても、底板１１が開くことはない。
【０００９】
つぎに着地状態で図１７に矢印で示したように操作レバー４２１  を手前に引いて右側へ回転させる。回転ロッド４２が回転して昇降ブロック４２２  は下降可能となるが、開きばね４９ａ  により開閉アーム４３が昇降ブロック４２２  を押圧したままなので、まだ下降することはできない。
つづいて吊り孔３２にワイヤロープをかけてこのコンテナ１を吊り上げる。吊り上げプレート３１は固定ピン４７ａ  により回転しリンクピン４８ａ  を介して中間リンク３４および開閉アーム４３の上端を引き寄せるから、昇降ブロック４２２  が開閉アーム４３から解放されて落下し、押圧部のうち下のもの４３２ｂの段付き部分に載った中間位置となる。この状態を図１８に示す。
【００１０】
目的の放荷地点に到着して一旦コンテナ１を着地させると吊り上げプレート３１を引き上げていた力がゆるみ、開きばね４９ａ  の作用により開閉アーム４３が開いて昇降ブロック４２２  は下端まで落下し、押圧部４３２ｂに押圧されて開閉アーム４３は開いた状態を保持する。この状態を図１９に示す。このままコンテナ１を吊り上げれば内容物の重量および底板１１の自重により底板１１が開き、内容物が排出される。
【００１１】
すなわちこのコンテナ１は、操作レバー４２１  を左向きにしたままの基本状態であれば底板１１が開くことはなく、操作レバー４２１  を右向きにして着地させ、吊り上げた場合のみ底板１１が開く。操作レバー４２１  を左向きに戻し、一旦着地させて底板を閉じた後吊り上げれば、初めの状態に復帰する。なお、回転ロッド４２が回転しても昇降ブロック４２２  が自重で確実に落下しない場合は、これを下向きに付勢する押し下げばね４９ｂ  を適宜挿入することが望ましい。ばね受けスリーブ４２３  はこの押し下げ力を受けて昇降ブロック４２２  に伝達する。
【００１２】
回転ロッド４２の溝部４２４  が形成されている部分における断面を図２０に、また回転ロッド４２の側面に形成された溝部４２４  の斜視図を図２１に示す。昇降ブロック４２２  からは内側の回転ロッド４２に向けて図示しないセットピンが突出して溝部４２４  に係合している。溝部４２４  は展開すれば斜辺を下側とする直角三角形形状であり、向かって左側、すなわち図２０におけるＡ位置において上下方向の溝を有し、これと反対側、すなわち図２０におけるＢ位置においては頂点であり上下方向の自由はない。底板の閉じた基本状態、すなわち操作レバー４２１  を左向きにした状態がＢ位置、解放操作を行った右向きにした状態がＡ位置に相当する。Ａ位置で溝部４２４  の上下方向の溝に沿って昇降ブロック４２２  が落下した後、操作レバー４２１  を左向きに戻すと溝部４２４  の斜辺に沿って昇降ブロック４２２  が上昇し、Ｂ位置に復帰するのである。
【００１３】
【発明が解決しようとする課題】
前記の底開き式コンテナは、事前に準備操作をしておくことにより、コンテナを移送して放荷場所において巻き下げ、着床させて再び巻き上げようとすると底板が自動的に開くように構成され、内容物の排出の際に作業者が付近にいなくてもよいようになって安全上の問題が解決されたものの、なおつぎのような問題点があり、さらなる改良が望まれていた。すなわち、
ａ）部品点数が多く、構造が複雑で摩擦力等の機械的抵抗が大きいと開かないことがあり、作動が確実でない。
ｂ）開くための準備操作がしてあるかどうか、外観から確認できない。
ｃ）コンテナの向こう側にも同じ開閉制御機構４が設けられている場合、開くための準備操作を行うためにはコンテナの両側に近づく必要がある。
【００１４】
本発明は、このような問題点を解消し、簡素な構成で開閉アーム４３の開閉動作をより確実なものとするとともに、開くための準備操作をコンテナの片側だけで行えるようにし、準備操作の状態が目視で確認できるようにした底開き式コンテナを実現することを目的とする。
【００１５】
【課題を解決するための手段】
本発明は、側板と一対の底板により構成され、この側板の底部付近に取り付けられた底板の蝶番と、底板の先端付近に設けられた係止ピンと、前記側板に固定した固定ピンに中央付近で軸支され、かみあい部を介して互いに連動し、下端のフック部で前記係止ピンを係止可能な一対の開閉アームを有する底開き式コンテナにおいて、前記側板上部に固定された固定ピン回りに回動自在に軸支され、外端にこの底開き式コンテナを吊り上げるワイロープを接続するための吊り孔を有する吊り上げプレートと、一端がこの吊り上げプレートに連結され、他端が前記側板下部に固定した固定ピンに揺動自在に軸支された揺動リンクに連結された縦リンクと、一端がこの揺動リンクに連結される横リンクと、前記側板下部に固定された中抜き板内に挿入され、一端が前記横リンクに連結され、戻しばねで一方向に付勢された作用リンクと、前記係止ピンの外側の開閉アームの背面側に回転中心を有し、底板が閉じているとき、起きた姿勢で前記開閉アームの背面を拘束して前記開閉アームを閉じた状態に保持し、倒れた姿勢で前記開閉アームを開放する操作カムと、前記作用リンクの先端部あるいはこの先端部に取り付けられた延長部が前記中抜き板の段付き部あるいは前記の起きた姿勢における操作カムの上端部に載置された状態において前記開閉アームの一方の上端部を拘束して前記開閉アームを閉じた状態に保持し、前記作用リンクの先端部あるいはこの先端部に取り付けられた延長部が前記中抜き板の段付き部あるいは前記の起きた姿勢における操作カムの上端部から落下した状態において前記開閉アームの一方の上端部をを開放し、前記吊り上げプレートの動きに連動してこの作用リンクが水平方向に移動して前記の載置された状態から落下した状態に移行して吊り上げ力により前記開閉アームを開き方向に押圧するように構成されていることを特徴とする開閉制御機構を備えた底開き式コンテナであり、望ましくは前記開閉制御機構が底板の蝶番からみて両側に備えられ、それぞれの操作カムが連通シャフトで連結されている前記の底開き式コンテナである。
【００１６】
【発明の実施の形態】
本発明の底開き式コンテナは、
ａ）少ない部品点数で同じ機能が実現できるようにした。
ｂ）開閉アーム４３を吊り荷重によって開く構造としたので、摩擦力等の機械的抵抗が大きくても確実に作動する。
ｃ）開くための準備操作がしてあるかどうか、操作カムの向きを見ることによって外観で容易に確認できる。
ｄ）コンテナの両側の操作カムが連通シャフトで連結されているので、開くための準備操作をコンテナの片側だけで行うことができる。
等の改良により、前記の問題点を解消することができた。
【００１７】
【実施例】
本発明の実施例を図面により説明する。この実施例のコンテナは底開き式で、さきに図１４〜２１で例示したものと同様、底部の周囲４点を吊るタイプのものである。ただし吊り上げ位置はコンテナ側板の上部にある。
図１はこの底開き式コンテナを示す正面図、図２は同じく平面図、図３は側面図で、これまでの説明と共通するものについては同一符号を使用している他、１５は側板１４が内容物によって外側へ変形しないために側板下部に取り付けられた底板ガイド、１６はコンテナ１を上げ下ろしするとき底板がなめらかに開閉するように床面との接触位置に取り付けられた底板ローラ、１７は前記底板ガイド１５を挿入するため底板側に設けた底板ガイド受け、３１ａ  は４か所の吊り上げプレートのうち半数の開閉制御機構に連動しない固定側のもの、３１２  は両側の吊り上げプレートを連結するアングル状の連結バー、４１は開閉制御機構を操作する操作カムである。開閉制御機構４は正面と背面とに合わせて２組設けられている。
【００１８】
図４ないし図８はこの底開き式コンテナにおける開閉制御機構４をさまざまな状態で示す正面図、図９は吊り上げプレート３１から開閉制御機構４まで吊り上げ力を伝達するリンク機構を示す正面図、図１０は作用リンク４５を示す斜視図、図１１は中抜き板４４を示す正面図、図１２は係止ピン１３、底板ローラ１６、底板ガイド受け１７、操作カム４１の取り付け状態を示す底板１１の部分斜視図である。各符号はこれまでの説明と共通するものの他、４１１  は操作カム４１の回転軸で、かつ両側の操作カム４１を連結している連通シャフト、  ４１２は操作カム４１を起きた位置および倒れた位置で停止するように内蔵のボールがスプリングに押されて所定位置に設けた凹部に嵌入するスプリングプランジャ、  ４１３は扇形の操作カムの上端部、  ４３２は開閉アーム４３の上端部、  ４３３は一対の開閉アーム４３のかみあい部で、インボリュート歯車の一部が形成されている。４４は側板の下部に取り付けられている中抜き板で、一端に係止部４４１  、他端に段付き部４４２  が形成されている。４５は吊り上げ機構の末端に接続されている作用リンクで、図１０にも示すように４５１  はその一端の係止部、  ４５２は先端部、  ４５３は先端部  ４５２からさらに延長された延長部である。
【００１９】
４６（４６ａ  〜４６ｃ  ）は所定箇所に配置されてリンク等の回転軸となる固定ピン、４７（同様に４７ａ  〜４７ｄ  ）は各リンクを連結する連結位置のリンクピン、４８（４８ａ  〜４８ｃ  ）はリンクが２枚の板で構成されている場合にこれらを連結する連結ピン、４９ｃ  は弦巻部分が中抜き板４４のくぼみに嵌入し、両端が作用リンク４５と開閉アーム４３を付勢している戻しばねで、これにより作用リンク４５は吊り上げ方向と逆方向に、開閉アーム４３は閉じる方向に押される。
【００２０】
開閉制御機構４の説明の前に図９を説明する。吊り上げ部４か所のうち、２か所は前記のとおり固定の吊り上げプレート３１ａ  であるが、残る２か所は固定ピン４６ａ  を中心に回動する可動の吊り上げプレート３１であり、その上下方向の動きは縦リンク３２に伝達され、揺動リンク３３によって水平方向の動きに変えられて中間リンク３４を経て横リンク３５に伝達され、リンクピン４７ｄ  により吊り上げ力は左向きの力となって作用リンク４５を作動させる。なお吊り上げプレート３１の回動範囲は、円周方向に長い長孔３１３  の端部が連結ピン４８ｄ  に当たることによって規制される。吊り上げ荷重が開閉制御機構４の各部分に直接作用しないために、長孔３１３  の端部が連結ピン４８ｄ  に当たった状態で、作用リンク４５の中抜き板４４内の移動範囲には若干の余裕を持たせておくことが望ましい。
【００２１】
つづいて開閉制御機構４の作動を図４ないし図８により詳細に説明する。図４はコンテナの標準状態、すなわち内容物の有無に係わらず底板が閉じ、コンテナが吊り上げられずに定置されている状態である。以下、内容物が入っており、これからこのコンテナを吊り上げて放荷場所まで移動する場合を想定して説明を進めることとする。
【００２２】
図４において操作カム４１は縦向きで、腕が上を向いており、これを「起きた姿勢」と呼ぶことにする。いま説明したように、作用リンク４５には左端のリンクピン４７ｄ  に吊り上げ力が左向きに作用するが、いまはこれが作用していないので戻しばね４９ｃ  によって作用リンク４５は右寄りに押され、作用リンク４５の係止部４５１  が中抜き板４４の係止部４４１  に係止された位置で停止しており、作用リンク４５の先端部４５２  が中抜き板４４の段付き部４４２  に載り、かつ作用リンク４５の延長部４５３  はカムの上端部４１３  に載った状態となっている。一方開閉アーム４３は閉じた状態でそのフック部４３１  は底板１１の係止ピン１３を係止している。
【００２３】
係止ピン１３の位置を開閉アーム４３の回転中心である固定ピン４６ｃ  の真下か、やや内側寄りとすることにより、コンテナ内容物の重量で底板１１が開いてしまうことを防止することができる。その他、左側の開閉アーム４３に戻しばね４９による閉じ方向の力が作用している他には外力は作用しておらず、開閉アーム４３が開くことはないが、かりに開こうとしても右側の開閉アーム４３の背面にある操作カム４１が縦向きとなっているため、これを倒さない限り開くことはできない。
【００２４】
つづいてこのコンテナを吊り上げる。図５はこの状態を示し、吊り上げ力によって作用リンク４５は左方向に移動し、先端部４５２  は中抜き板４４の段付き部４４２  から離れるが、延長部４５３  がなお操作カム４１の上端部４１３  に載っている。したがってこのままコンテナを着地させ、吊り上げ力がなくなれば作用リンク４５は右方向に移動して図４の状態に戻る。つまりコンテナの底板１１は閉じたまま、任意に移動させることができる。
【００２５】
つぎにコンテナの底板を開くための準備操作として、着地状態で操作カム４１を右に倒す。図６に示す腕が右に向いた状態を「倒れた状態」と呼ぶ。
操作カム４１の回転軸である連通シャフト４１１  の端部はたいこ状に平行面を形成してあるので、ここにハンドルをはめ、あるいはスパナ等の簡単な道具を使用して向きを変えることができる。またコンテナの向こう側の操作カムとは連通シャフト４１１  で連結されているので、反対側へ回らなくても片側のみですべての操作を行うことができる。
【００２６】
この操作を行った後コンテナを吊り上げると、図６に示すように作用リンク４５は再び左方向に移動し、連結ピン４８ｃ  が右側の開閉アーム４３の上端に載るので作用リンク４５は水平姿勢を保っているが、つぎにコンテナを着地させて吊り上げ力がゆるむと、操作カム４１が倒れているので、図７に示すように作用リンク４５は右に移動し、連結ピン４８ｃ  が右側の開閉アーム４３の上部プロフィルに沿って落下して中間段付き部４３４  に載った状態となる。これが底板１１の開きうる待機状態である。
【００２７】
つぎにコンテナを吊り上げると、図８に示すように落下した状態の作用リンク４５は吊り上げ力によって左に引き寄せられ、連結ピン４８ｃ  が右側の開閉アーム４３の中間段付き部４３４  の肩を押圧するので、まず右側の開閉アームが開き、これとかみあい部４３３  を介してかみ合っている左側の開閉アームも同時に開くので、両側の係止ピン１３が解放され、自重ならびに内容物の重量によって底板１１が開いて内容物が排出される。
【００２８】
放荷の後、コンテナを着地させて底板１１を閉じ、操作カム４１を「起きた姿勢」に戻せばふたたび図４の状態となる。
図１３は以上の説明におけるコンテナ１の様子をあらためて図解したもので、（ａ）は標準状態、あるいは底板１１を閉じたまま移送している状態、（ｂ）は底板１１を開くために一旦着地し、操作カム４１を倒して吊り上げワイヤロープＷをゆるめた状態で、さきに説明した図７に対応する。（ｃ）は再び吊り上げて内容物を排出している状態で、図８の直後の状態である。
【００２９】
なお、放荷のための準備操作は、放荷場所への到着よりも前に行ってもよい。例えば移動前に操作カムを倒してから移動を行い、到着後一旦着地してそのまま引き上げれば底板が開いて内容物が排出される。このようにすれば放荷場所において開放のためにコンテナに接近しなくてもよいので安全性が一層向上する。
以上説明したように、このコンテナは、操作カム４１が起きた姿勢のままの基本状態であれば底板１１が開くことはなく、一旦着地させて操作カム４１を倒してから再び吊り上げ、再度着地させた場合のみ底板１１が開く。
【００３０】
このコンテナの内容物を排出するには、一旦コンテナを着地させて操作カムを倒す操作を行うだけで、あとは一切クレーンによる吊り上げ、吊り下ろし操作のみでばら物の荷役を行うことができる。操作カムの操作はコンテナのいずれの側で行ってもよく、また、操作カムがいずれの姿勢であるかははっきり目視で確認できる。
【００３１】
【発明の効果】
本発明によれば、確実な作動によりコンテナの底板の開閉制御を行い、かつ開閉制御機構における操作カムの状態が目視によって確認でき、操作カムの扱いをコンテナの片側のみで行うことのができる底開き式コンテナが実現し、荷役作業の能率化と安全性の向上が達成されるという、すぐれた効果を奏する。
【図面の簡単な説明】
【図１】本発明の実施例の底開き式コンテナを示す正面図である。
【図２】本発明の実施例の底開き式コンテナを示す平面図である。
【図３】本発明の実施例の底開き式コンテナを示す側面図である。
【図４】本発明の実施例の開閉制御機構を示す部分正面図である。
【図５】同じく本発明の実施例の開閉制御機構を示す部分正面図である。
【図６】同じく本発明の実施例の開閉制御機構を示す部分正面図である。
【図７】同じく本発明の実施例の開閉制御機構を示す部分正面図である。
【図８】同じく本発明の実施例の開閉制御機構を示す部分正面図である。
【図９】本発明の実施例の吊り上げ機構を示す部分正面図である。
【図１０】本発明の実施例の開閉制御機構の一部である作用リンクを示す斜視図である。
【図１１】本発明の実施例の開閉制御機構の一部である中抜き板を示す正面図である。
【図１２】本発明の実施例の底板の要部を示す部分斜視図である。
【図１３】本発明の実施例の底開き式コンテナの使用状況を示す説明図である。
【図１４】本発明に係わる底開き式コンテナを底板が閉じた状態で示す斜視図である。
【図１５】本発明に係わる底開き式コンテナを底板が開いた状態で示す斜視図である。
【図１６】従来例における開閉制御機構を示す部分正面図である。
【図１７】同じく従来例における開閉制御機構を示す部分正面図である。
【図１８】同じく従来例における開閉制御機構を示す部分正面図である。
【図１９】同じく従来例における開閉制御機構を示す部分正面図である。
【図２０】同じく従来例における開閉制御機構の一部を示す断面図である。
【図２１】同じく従来例における開閉制御機構の一部を示す斜視図である。
【符号の説明】
１    コンテナ
２    吊り上げ枠
３    吊り上げ部
４    開閉制御機構
１１    底板
１２      （底板開閉用）蝶番
１３    係止ピン
１４    側板
１５    底板ガイド
１６    底板ローラ
１７    底板ガイド受け
１８      フォーク用孔
２１    補助ワイヤロープ
３１、３１ａ      吊り上げプレート
３２    縦リンク
３３    揺動リンク
３４    中間リンク
３５    横リンク
４１    操作カム
４２    回転ロッド
４３    開閉アーム
４４    中抜き板
４５      作用リンク
４６ａ  〜４６ｃ          固定ピン
４７ａ  〜４７ｄ        リンクピン
４８ａ  〜４８ｄ      連結ピン
４９ａ    開きばね
４９ｂ    押し下げばね
４９ｃ    戻しばね
３１１    吊り孔
３１２    連結バー
３１３    長孔
４１１    連通シャフト
４１２    スプリングプランジャ
４１３  、４３２      上端部
４２１    操作レバー
４２２    昇降ブロック
４２３    ばね受けスリーブ
４２４    溝部
４３１    フック部
４３２ａ、４３２ｂ        押圧部
４３３    かみ合い部
４３４    中間段付き部
４４１  、４５１    係止部
４４２    段付き部
４５２    先端部
４５３    延長部
Ｗ    吊り上げワイヤロープ
【図１】
2004168321.tif 000003
【図２】
2004168321.tif 000004
【図３】
2004168321.tif 000005
【図４】
2004168321.tif 000006
【図５】
2004168321.tif 000007
【図６】
2004168321.tif 000008
【図７】
2004168321.tif 000009
【図８】
2004168321.tif 000010
【図９】
2004168321.tif 000011
【図１０】
2004168321.tif 000012
【図１１】
2004168321.tif 000013
【図１２】
2004168321.tif 000014
【図１３】
2004168321.tif 000015
【図１４】
2004168321.tif 000016
【図１５】
2004168321.tif 000017
【図１６】
2004168321.tif 000018
【図１７】
2004168321.tif 000019
【図１８】
2004168321.tif 000020
【図１９】
2004168321.tif 000021
【図２０】
2004168321.tif 000022
【図２１】
2004168321.tif 000023